(57)【要約】【課題】電力負荷及び貯湯漕に効率よく電力及び熱を供給する電熱供給システムを提供する。【解決手段】負荷に電力を供給し、複数の貯湯漕に熱を供給する電熱供給システムであって、複数の貯湯漕に対応して設けられ、負荷に供給する電力を発電し、発電によって発生した熱を対応する貯湯漕に供給する複数の燃料電池と、それぞれの貯湯漕における、熱消費量の履歴を格納する履歴格納部と、負荷の電力需要量、及び履歴格納部が格納したそれぞれの貯湯漕の熱消費量の履歴に基づいて、それぞれの貯湯漕に供給するべき熱量を算出し、当該熱量に基づいて対応する燃料電池の発電量を制御する制御部とを備える電熱供給システムを提供する。【選択図】図１
2005056639.tif 000002
【特許請求の範囲】
【請求項１】
負荷に電力を供給し、複数の貯湯漕に熱を供給する電熱供給システムであって、
前記複数の貯湯漕に対応して設けられ、前記負荷に供給する電力を発電し、発電によって発生した熱を対応する前記貯湯漕に供給する複数の燃料電池と、
それぞれの前記貯湯漕における、熱消費量の履歴を格納する履歴格納部と、
前記負荷の電力需要量、及び前記履歴格納部が格納したそれぞれの前記貯湯漕の前記熱消費量の履歴に基づいて、それぞれの前記貯湯漕に供給するべき熱量を算出し、当該熱量に基づいて対応する前記燃料電池の発電量を制御する制御部と
を備える電熱供給システム。
【請求項２】
前記制御部は、前記履歴格納部が格納したそれぞれの前記貯湯漕の前記熱消費量の履歴に基づいて、それぞれの前記貯湯漕に貯湯するべき必要貯湯量を算出し、貯湯量が前記必要貯湯量より小さい前記貯湯漕に対応する一つ又は複数の前記燃料電池に、前記負荷に供給する電力を発電させる請求項１に記載の電熱供給システム。
【請求項３】
前記制御部は、前記履歴格納部が格納したそれぞれの前記貯湯漕の前記熱消費量の履歴に基づいて、それぞれの前記貯湯漕に貯湯するべき必要湯温を算出し、湯温が前記必要湯温より小さい前記貯湯漕に対応する一つ又は複数の前記燃料電池に、前記負荷に供給する電力を発電させる請求項１に記載の電熱供給システム。
【請求項４】
前記電熱供給システムは、複数の前記負荷に電力を供給し、
それぞれの前記燃料電池が発電した電力を、それぞれの前記負荷の電力需要量に応じてそれぞれの前記負荷に分配する電力ネットワークを更に備える請求項１に記載の電熱供給システム。
【請求項５】
前記制御部は、前記履歴格納部が格納した前記貯湯漕の前記熱消費量の履歴に基づいて、それぞれの前記貯湯漕の将来における予め定められた期間の予測熱需要量を算出し、算出したそれぞれの前記予測熱需要量を給熱できるように、対応する前記燃料電池の発電量を制御し、
前記電力ネットワークは、前記制御部が制御した前記複数の燃料電池の総発電量が、前記複数の負荷の総電力需要量より大きい場合に、余剰の電力を蓄電する蓄電部を有する
請求項２に記載の電熱供給システム。
【請求項６】
前記制御部は、前記予測熱需要量がある時刻において増加する場合に、前記ある時刻より予め定められた時間前に、予め対応する前記燃料電池の発電量を増加させる請求項５に記載の電熱供給システム。
【請求項７】
前記制御部は、それぞれの前記貯湯漕の前記予想熱需要量に応じて対応する前記燃料電池を発電させた場合において、前記複数の燃料電池の総発電量が、前記複数の負荷の総電力需要量より小さい場合に、不足する電力を前記蓄電部から前記負荷に供給させる請求項５に記載の電熱供給システム。
【請求項８】
前記制御部は、それぞれの前記貯湯漕の前記予想熱需要量に応じて対応する前記燃料電池を発電させた場合において、前記複数の燃料電池の総発電量と、前記蓄電池が供給可能な電力量との和が、前記複数の負荷の総電力需要量より小さい場合に、対応する前記貯湯漕おける前記予測熱需要量が最も近い将来に増加する前記燃料電池の発電量を増加させる請求項７に記載の電熱供給システム。
【請求項９】
前記電力ネットワークは、外部の電力系統と接続され、前記複数の燃料電池の総発電量と、前記蓄電池が供給可能な電力量との和が、前記複数の負荷の総電力需要量より小さい場合に、不足する電力を前記外部の電力系統から受け取る請求項７に記載の電熱供給システム。
【請求項１０】
それぞれの前記貯湯漕に対応して設けられ、電力により発熱する複数の電熱器を更に備え、
前記制御部は、それぞれの前記貯湯漕の前記予想熱需要量に応じて対応する前記燃料電池を発電させた場合に、前記燃料電池の発電効率が予め定められた効率以下となる場合に、当該燃料電池の発電を停止させ、対応する前記電熱器から前記貯湯漕に熱を供給させる請求項５に記載の電熱供給システム。
【請求項１１】
前記制御部は、前記電熱器から前記貯湯漕に熱を供給させる場合に、発電している前記燃料電池のうち最も発電効率が高い前記燃料電池の発電量を、前記電熱器を駆動するための電力量増加させ、前記電熱器に電力を供給させる請求項１０に記載の電熱供給システム。
【請求項１２】
前記制御部は、使用者から与えられる使用者情報に更に基づいて、それぞれの前記貯湯漕に供給するべき熱量を算出する請求項１に記載の電熱供給システム。
【請求項１３】
電力で駆動する負荷及び熱を消費する貯湯漕を含む複数の住居を備える集合住宅であって、
それぞれの前記住居毎に設けられ、前記負荷に供給する電力を発電し、発電による排熱を対応する前記貯湯漕に供給する複数の燃料電池と、
それぞれの前記貯湯漕における、熱消費量の履歴を格納する履歴格納部と、
前記負荷の電力需要量、及び前記履歴格納部が格納したそれぞれの前記貯湯漕の前記熱消費量の履歴に基づいて、それぞれの前記貯湯漕に供給するべき熱量を算出し、当該熱量に基づいて対応する前記燃料電池の発電量を制御する制御部と
を備える集合住宅。
【請求項１４】
電熱供給システムを機能させるプログラムであって、
前記電熱供給システムを、
負荷に電力を供給し、複数の貯湯漕に熱を供給する電熱供給システムであって、
前記複数の貯湯漕に対応して設けられ、前記負荷に供給する電力を発電し、発電による排熱を対応する前記貯湯漕に供給する複数の燃料電池と、
それぞれの前記貯湯漕における、熱消費量の履歴を格納する履歴格納部と、
前記負荷の電力需要量、及び前記履歴格納部が格納したそれぞれの前記貯湯漕の前記熱消費量の履歴に基づいて、それぞれの前記貯湯漕に供給するべき熱量を算出し、当該熱量に基づいて対応する前記燃料電池の発電量を制御する制御部と
を備える電熱供給システムとして機能させるプログラム。
【発明の詳細な説明】
【技術分野】
【０００１】
本発明は、電力及び熱を供給する電熱供給システム、電熱供給システムを備えた集合住宅、及び電熱供給システムを機能させるプログラムに関する。特に、本発明は燃料電池を有する電熱供給システムに関する。
【背景技術】
【０００２】
従来、電力系統の補助電源として各住宅における太陽光発電、燃料電池等が考えられている。また、近年の電力需要の増大により、近い将来に電力系統からの電力供給が不足することが予想される。このため、各住宅の電力供給において、太陽光発電、燃料電池等の分散型電源に対する依存度が高まると考えられる。
【０００３】
また、燃料電池を用いた分散型電源においては、燃料電池の発電に伴う排熱を有効に利用するコージェネレーションシステムがある。コージェネレーションシステムにおいては、例えば、燃料電池の排熱を貯湯漕に蓄積して、電力及び温水を提供する。また、関連する特許文献は認識していないため、特許文献の記載は省略する。
【発明の開示】
【発明が解決しようとする課題】
【０００４】
しかし、従来の分散型電源においては、各住宅がそれぞれ消費する電力に応じて各住宅の燃料電池を発電させ、電力及び温水を生成している。このため、例えば温水の使用量に対して電力の使用量が多い時期においては、温水を余剰に生成してしまう。貯湯漕に蓄積した熱を保持することは困難であるため、余剰に生成された温水は無駄となってしまい、燃料電池の総合的なエネルギー効率が低下してしまう。また、温水の使用量に対して電力の使用量が少ない時期においては、温水が不足してしまう問題もある。
【０００５】
そこで本発明は、上記の課題を解決することのできる電力供給システム等を提供することを目的とする。この目的は、特許請求の範囲における独立項に記載の特徴の組み合わせにより達成される。また従属項は本発明の更なる有利な具体例を規定する。
【課題を解決するための手段】
【０００６】
上記課題を解決するために、本発明の第１の形態においては、負荷に電力を供給し、複数の貯湯漕に熱を供給する電熱供給システムであって、複数の貯湯漕に対応して設けられ、負荷に供給する電力を発電し、発電によって発生した熱を対応する貯湯漕に供給する複数の燃料電池と、それぞれの貯湯漕における、熱消費量の履歴を格納する履歴格納部と、負荷の電力需要量、及び履歴格納部が格納したそれぞれの貯湯漕の熱消費量の履歴に基づいて、それぞれの貯湯漕に供給するべき熱量を算出し、当該熱量に基づいて対応する燃料電池の発電量を制御する制御部とを備える電熱供給システムを提供する。
【０００７】
制御部は、履歴格納部が格納したそれぞれの貯湯漕の熱消費量の履歴に基づいて、それぞれの貯湯漕に貯湯するべき必要貯湯量を算出し、貯湯量が必要貯湯量より小さい貯湯漕に対応する一つ又は複数の燃料電池に、負荷に供給する電力を発電させてよい。
【０００８】
制御部は、履歴格納部が格納したそれぞれの貯湯漕の熱消費量の履歴に基づいて、それぞれの貯湯漕に貯湯するべき必要湯温を算出し、湯温が必要湯温より小さい貯湯漕に対応する一つ又は複数の燃料電池に、負荷に供給する電力を発電させてよい。
【０００９】
電熱供給システムは、複数の負荷に電力を供給し、それぞれの燃料電池が発電した電力を、それぞれの負荷の電力需要量に応じてそれぞれの負荷に分配する電力ネットワークを更に備えてよい。制御部は、履歴格納部が格納した貯湯漕の熱消費量の履歴に基づいて、それぞれの貯湯漕の将来における予め定められた期間の予測熱需要量を算出し、算出したそれぞれの予測熱需要量を給熱できるように、対応する燃料電池の発電量を制御し、電力ネットワークは、制御部が制御した複数の燃料電池の総発電量が、複数の負荷の総電力需要量より大きい場合に、余剰の電力を蓄電する蓄電部を有してよい。
【００１０】
制御部は、予測熱需要量がある時刻において増加する場合に、ある時刻より予め定められた時間前に、予め対応する燃料電池の発電量を増加させてよい。制御部は、それぞれの貯湯漕の予想熱需要量に応じて対応する燃料電池を発電させた場合において、複数の燃料電池の総発電量が、複数の負荷の総電力需要量より小さい場合に、不足する電力を蓄電部から負荷に供給させてよい。
【００１１】
制御部は、それぞれの貯湯漕の予想熱需要量に応じて対応する燃料電池を発電させた場合において、複数の燃料電池の総発電量と、蓄電池が供給可能な電力量との和が、複数の負荷の総電力需要量より小さい場合に、対応する貯湯漕おける予測熱需要量が最も近い将来に増加する燃料電池の発電量を増加させてよい。
【００１２】
電力ネットワークは、外部の電力系統と接続され、複数の燃料電池の総発電量と、蓄電池が供給可能な電力量との和が、複数の負荷の総電力需要量より小さい場合に、不足する電力を外部の電力系統から受け取ってよい。
【００１３】
それぞれの貯湯漕に対応して設けられ、電力により発熱する複数の電熱器を更に備え、制御部は、それぞれの貯湯漕の予想熱需要量に応じて対応する燃料電池を発電させた場合に、燃料電池の発電効率が予め定められた効率以下となる場合に、当該燃料電池の発電を停止させ、対応する電熱器から貯湯漕に熱を供給させてよい。
【００１４】
制御部は、電熱器から貯湯漕に熱を供給させる場合に、発電している燃料電池のうち最も発電効率が高い燃料電池の発電量を、電熱器を駆動するための電力量増加させ、電熱器に電力を供給させてよい。制御部は、使用者から与えられる使用者情報に更に基づいて、それぞれの貯湯漕に供給するべき熱量を算出してよい。
【００１５】
本発明の第２の形態においては、電力で駆動する負荷及び熱を消費する貯湯漕を含む複数の住居を備える集合住宅であって、それぞれの住居毎に設けられ、負荷に供給する電力を発電し、発電による排熱を対応する貯湯漕に供給する複数の燃料電池と、それぞれの貯湯漕における、熱消費量の履歴を格納する履歴格納部と、負荷の電力需要量、及び履歴格納部が格納したそれぞれの貯湯漕の熱消費量の履歴に基づいて、それぞれの貯湯漕に供給するべき熱量を算出し、当該熱量に基づいて対応する燃料電池の発電量を制御する制御部とを備える集合住宅を提供する。
【００１６】
本発明の第３の形態においては、電熱供給システムを機能させるプログラムであって、電熱供給システムを、負荷に電力を供給し、複数の貯湯漕に熱を供給する電熱供給システムであって、複数の貯湯漕に対応して設けられ、負荷に供給する電力を発電し、発電による排熱を対応する貯湯漕に供給する複数の燃料電池と、それぞれの貯湯漕における、熱消費量の履歴を格納する履歴格納部と、負荷の電力需要量、及び履歴格納部が格納したそれぞれの貯湯漕の熱消費量の履歴に基づいて、それぞれの貯湯漕に供給するべき熱量を算出し、当該熱量に基づいて対応する燃料電池の発電量を制御する制御部とを備える電熱供給システムとして機能させるプログラムを提供する。
【００１７】
なお、上記の発明の概要は、本発明の必要な特徴の全てを列挙したものではなく、これらの特徴群のサブコンビネーションもまた、発明となりうる。
【発明の効果】
【００１８】
本発明によれば、それぞれの負荷及び貯湯漕に、電力及び熱を効率よく供給することができる。
【発明を実施するための最良の形態】
【００１９】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【実施例１】
【００２０】
図１は、本発明の実施形態に係る電熱供給システム１００の構成の一例を示す。本例における電熱供給システム１００は、集合住宅の各住居（１１０ａ〜１１０ｃ、以下１１０と総称する）に設けられた複数の負荷（１０ａ〜１０ｃ、以下１０と総称する）に電力を供給し、集合住宅の各住居１１０に設けられた複数の貯湯漕（３０ａ〜３０ｃ、以下３０と総称する）に熱を供給する。ここで、集合住宅とは、一の建築物に複数の住居１１０を設けたものであってよく、所定の領域に設けられた複数の建築物をそれぞれ住居１１０としたものであってもよい。
【００２１】
電熱供給システム１００は、電力ネットワーク１０、複数の燃料電池（２０ａ〜２０ｃ、以下２０と総称する）、履歴格納部５０、制御部６０、及び蓄電部４０を備える。複数の燃料電池２０は、複数の貯湯漕３０に対応して設けられ、対応する負荷１０に供給する電力を発電し、発電によって発生した熱を対応する貯湯漕３０に供給する。それぞれの貯湯漕３０は、例えば対応する燃料電池２０を冷却するための冷却水を循環させることにより、燃料電池２０の排熱を受け取る。
【００２２】
また、それぞれの燃料電池２０は、例えば固体高分子形燃料電池（ＰＥＦＣ）である。それぞれの燃料電池２０は、例えば各住居に供給される都市ガス、プロパンガス等を改質して、燃料となる水素ガスを生成する物であってよく、また外部から供給される水素ガスを燃料とするものであってもよい。
【００２３】
また、複数の燃料電池２０は、電力ネットワーク１０に接続され、電力ネットワーク１０を介して他の住居１１０に設けられた負荷１０に電力を供給可能に設けられる。また同様に、複数の負荷１０は、電力ネットワーク１０に接続され、電力ネットワーク１０を介して他の住居１１０に設けられた燃料電池２０から電力を受け取ることができるように設けられる。つまり、電力ネットワーク１０は、それぞれの燃料電池２０が発電した電力を、それぞれの負荷１０の電力需要量に応じてそれぞれの負荷１０に分配する。
【００２４】
履歴格納部５０は、それぞれの貯湯漕３０における、熱消費量の履歴を格納する。例えば、履歴格納部５０は、一日を複数の時間帯に分割して、それぞれの時間帯毎に、それぞれの貯湯漕３０における熱消費量の履歴を格納してよい。また、履歴格納部５０は、それぞれの貯湯漕３０が供給するべき温水量を当該熱消費量として、それぞれの時間帯毎に格納してよく、またそれぞれの貯湯漕３０が供給するべき温水の温度を当該熱消費量として、それぞれの時間帯毎に格納してもよい。また、履歴格納部５０は、それぞれの貯湯漕３０が供給するべき温水量、及びその温度を当該熱消費量として格納してもよい。
【００２５】
制御部６０は、それぞれの負荷１０の電力需要量、及び履歴格納部５０が格納したそれぞれの貯湯漕３０の熱消費量の履歴に基づいて、それぞれの燃料電池２０から対応する貯湯漕３０に供給するべき熱量を算出し、算出した熱量に基づいて、それぞれの燃料電池２０の発電量を制御する。つまり、本例における電熱供給システム１００は、燃料電池２０の排熱量が、各住居における熱消費量と略同一になるように燃料電池２０の発電量を制御する。このような制御により、各住居において余剰に熱量を生成することを防ぐことができる。
【００２６】
例えば、制御部６０は、履歴格納部５０が格納したそれぞれの貯湯漕３０の熱消費量の履歴に基づいて、それぞれの貯湯漕３０に貯湯するべき必要貯湯量を算出し、貯湯量が必要貯湯量より小さい貯湯漕に対応する一つ又は複数の燃料電池に、負荷１０に供給する電力を発電させてよい。また、制御部６０は、履歴格納部５０が格納したそれぞれの貯湯漕３０の熱消費量の履歴に基づいて、それぞれの貯湯漕に貯湯するべき必要湯温を算出し、湯温が必要湯温より小さい貯湯漕３０に対応する一つ又は複数の燃料電池２０に、負荷１０に供給する電力を発電させてもよい。つまり、制御部６０は、貯湯漕３０に必要な熱量が蓄積されている場合には、対応する燃料電池２０には発電をさせないように制御してよい。
【００２７】
また、制御部６０は、履歴格納部５０が格納したそれぞれの貯湯漕３０の熱消費量の履歴に基づいて、それぞれの貯湯漕３０の将来における予め定められた期間の予測熱需要量を算出し、算出したそれぞれの予測熱需要量を給熱できるように、対応する燃料電池２０の発電量を制御してよい。
【００２８】
例えば、制御部６０は、履歴格納部５０が格納した熱消費量の履歴のうち、前年、又は前月の同日の熱消費量の履歴に基づいて、当日のそれぞれの貯湯漕３０における予測熱需要量を算出してよい。また、制御部６０は、一日を複数の時間帯に分割したそれぞれの時間帯における熱消費量の履歴の、予め定められた日数の平均値を、当日のそれぞれの時間帯における、それぞれの貯湯漕３０の予測熱需要量として算出してもよい。また、制御部６０は、予め定められた期間における熱消費量の履歴を曜日毎に分類して、曜日毎に予測熱需要量を算出してもよい。この場合においても、それぞれの曜日を複数の時間帯に分割したそれぞれの時間帯における予測熱需要量を算出してよい。また、制御部６０は、現在の熱消費量に基づいて、将来の予測熱需要量を算出してもよい。例えば、現在供給している温水の温度を検出し、当該温度の温水の継続供給時間の平均値を過去の履歴から算出してもよい。
【００２９】
また、制御部６０は、前述した予測熱需要量を、使用者から与えられる使用者情報に更に基づいて算出してよい。ここで、使用者情報は、当該使用者情報を用いて予測熱需要量を算出するべき日時を指定する日付情報と対応付けて、制御部６０に予め与えられる。
【００３０】
また、使用者情報とは、予め与えられる、例えば使用者の帰宅予定時間等であってよい。この場合、制御部６０は、前日の使用者の帰宅予定時間と、当日の使用者の帰宅予定時間とを比較し、帰宅予定時間の差異の基づいて当日の時間帯毎の予測熱需要量を算出してよい。また、制御部６０には、前日の使用者の帰宅時間が与えられ、前日の使用者の帰宅時間と、当日の使用者の帰宅予定時間とを比較してもよい。例えば、当日の帰宅予定時間が前日の帰宅時間より２時間早い場合、制御部６０は、当日の時間帯毎の予測熱需要量を２時間前倒しするように算出する。
【００３１】
また、使用者情報とは、例えば使用者から与えられる曜日情報であってもよい。この場合、制御部６０は、前述したように曜日毎の予測熱需要量を予め算出し、使用者から与えられる曜日情報に基づいて、曜日毎の予測熱需要量から当日の予測熱需要量を選択する。これらのような制御部６０の動作により、使用者の生活サイクルに応じた予測熱需要量を適切に算出することができる。
【００３２】
本例においては、各住居において、熱消費量に応じて燃料電池２０の発電量を制御しているため、各住居の負荷１０の電力需要量に対して、燃料電池２０が電力を過剰、又は過小に生成する場合がある。それぞれの燃料電池２０は、発電した電力が、対応する負荷１０の電力需要量より大きい場合、余剰の電力を電力ネットワークに供給する。また電力ネットワーク１０は、燃料電池２０が発電した電力が、対応する負荷１０の電力需要量より小さい場合、他の燃料電池２０から受け取った余剰電力を、電力が不足する負荷１０に供給する。このような制御を行うことにより、それぞれの燃料電池２０が発電した電力を効率よく使用することができる。このため、複数の燃料電池２０全体のエネルギー効率を向上させることができる。
【００３３】
また、電力ネットワーク１０は、制御部６０が制御した複数の燃料電池２０の総発電量が、複数の負荷１０の総電力需要量より大きい場合に、余剰の電力を蓄電する蓄電部４０を有してよい。制御部６０は、それぞれの貯湯漕３０の予想熱需要量に応じて対応する燃料電池２０を発電させた場合において、複数の燃料電池２０の総発電量が、複数の負荷１０の総電力需要量より小さい場合に、不足する電力を蓄電部４０から負荷１０に供給させる。このような制御により、発電した電力の無駄を更に低減させ、エネルギー効率を更に向上させることができる。
【００３４】
また、制御部６０が、それぞれの貯湯漕３０の予想熱需要量に応じて対応する燃料電池２０を発電させた場合、複数の燃料電池２０の総発電量と、蓄電池４０が供給可能な電力量との和が、複数の負荷１０の総電力需要量より小さい場合がある。このような場合には、電力が不足してしまうため、制御部６０は、対応する貯湯漕３０おける予測熱需要量が最も近い将来に増加する燃料電池２０の発電量を増加させ、不足電力を補ってよい。
【００３５】
また、電力ネットワーク１０は、外部の電力系統と接続されていてもよい。この場合、前述したように電力が不足してしまう場合に、不足する電力を外部の電力系統から受け取って負荷１０に供給してもよい。このような制御により、電熱供給システム１００が生成する電力及び熱を無駄なく使用することができる。
【００３６】
電力は熱に比べ、遠距離に分配すること、及び蓄積することが容易であるため、本例における電熱供給システム１００のように各住居１１０の燃料電池２０を予測熱消費量に応じて制御することにより、各住居１１０に対して電力及び熱を効率よく供給することができる。
【００３７】
図２は、それぞれの貯湯漕３０における予測熱需要量の一例を示す。本例において、制御部６０は、一日を複数の時間帯に分割したそれぞれの時間帯における予測熱需要量を算出する。前述したように、制御部６０は、対応する貯湯漕３０の予測熱需要量に基づいて、それぞれの燃料電池２０の発電量を制御する。例えば、制御部６０は、貯湯漕３０ａの予測熱需要量がある時刻ａにおいて増加する場合に、ある時刻ａより予め定められた時間前に、予め対応する燃料電池２０ａの発電量を増加させてよい。例えば、制御部６０は、燃料電池２０ａの給熱量の変動の速度に基づいて、当該ある時刻ａより予め定められた時間前に燃料電池２０ａの発電量を増加、又は燃料電池２０ａを起動してよい。このような制御により、所望の時刻に所望の熱量を精度よく供給することができる。
【実施例２】
【００３８】
図３は、電熱供給システム１００の構成の他の例を示す。本例において、電熱供給システム１００は、図１において説明した電熱供給システム１００の構成に加え、それぞれの貯湯漕３０に対応して設けられ、電力により発熱する複数の電熱器（７０ａ〜７０ｃ、以下７０と総称する）を更に備える。図３において図１と同一の符号を付した構成要素は、図１において説明した構成要素と同一又は同様の機能及び構成を有する。
【００３９】
制御部６０は、それぞれの貯湯漕３０の予想熱需要量に応じて対応する燃料電池２０を発電させた場合に、燃料電池２０の発電効率が予め定められた効率以下となる場合に、当該燃料電池２０の発電を停止させてよい。この場合、対応する貯湯漕３０に熱量を供給するために、制御部６０は、停止させた燃料電池２０に対応する電熱器７０から貯湯漕３０に熱を供給させる。
【００４０】
この場合、制御部６０は、発電している燃料電池２０のうち最も発電効率が高い領域で動作している燃料電池２０の発電量を、当該電熱器７０を駆動するための電力量増加させ、当該電熱器７０に電力を供給させる。また、制御部６０は、当該貯湯漕３０の予測熱消費量に応じて、当該電熱器７０を駆動させるための電力量を算出する。このような制御により、貯湯漕３０に安定して熱量を供給しつつ、燃料電池２０を低発電効率で動作することを防ぎ、発電効率を向上させることができる。
【実施例３】
【００４１】
図４は、電熱供給システムを制御するコンピュータ３００の構成の一例を示す。本例において、コンピュータ３００は、電熱供給システムを図１から図３において説明した電熱供給システム１００として機能させるプログラムを格納する。また、コンピュータ３００は、電熱供給システム１００の履歴格納部５０、及び制御部６０として更に機能してもよい。
【００４２】
コンピュータ３００は、ＣＰＵ７００と、ＲＯＭ７０２と、ＲＡＭ７０４と、通信インターフェース７０６と、ハードディスクドライブ７１０と、フレキシブルディスクドライブ７１２と、ＣＤ−ＲＯＭドライブ７１４とを備える。ＣＰＵ７００は、ＲＯＭ７０２、ＲＡＭ７０４、ハードディスクドライブ７１０、フレキシブルディスク７２０、及び／又はＣＤ−ＲＯＭ７２２に格納されたプログラムに基づいて動作する。
【００４３】
例えば、電熱供給システム１００を機能させるプログラムは、コンピュータ３００を、図１から図３に関連して説明した履歴格納部５０、及び制御部６０として機能させ、燃料電池２０、蓄電部４０、電力ネットワーク１０、及び電熱器７０を図１から図３に関連して説明したように制御させ、電熱供給システムを機能させる。
【００４４】
通信インターフェース７０６は、例えば燃料電池２０、蓄電部４０、電力ネットワーク１０、及び電熱器７０と通信し、それぞれの状態等に関する情報を受信し、またそれぞれを制御する制御信号を送信する。格納装置の一例としてのハードディスクドライブ７１０、ＲＯＭ７０２、又はＲＡＭ７０４は、設定情報、及びＣＰＵ７００を動作させるためのプログラム等を格納する。また、当該プログラムは、フレキシブルディスク７２０、ＣＤ−ＲＯＭ７２２等の記録媒体に格納されていてもよい。
【００４５】
フレキシブルディスクドライブ７１２は、フレキシブルディスク７２２がプログラムを格納している場合、フレキシブルディスク７２２からプログラムを読み取りＣＰＵ７００に提供する。ＣＤ−ＲＯＭドライブ７１４は、ＣＤ−ＲＯＭ７２２がプログラムを格納している場合、ＣＤ−ＲＯＭ７２２からプログラムを読み取りＣＰＵ７００に提供する。
【００４６】
また、プログラムは記録媒体から直接ＲＡＭに読み出されて実行されても、一旦ハードディスクドライブ７１０にインストールされた後にＲＡＭ７０４に読み出されて実行されてもよい。更に、上記プログラムは単一の記録媒体に格納されても複数の記録媒体に格納されても良い。また記録媒体に格納されるプログラムは、オペレーティングシステムとの共同によってそれぞれの機能を提供してもよい。例えば、プログラムは、機能の一部または全部を行うことをオペレーティングシステムに依頼し、オペレーティングシステムからの応答に基づいて機能を提供するものであってもよい。
【００４７】
プログラムを格納する記録媒体としては、フレキシブルディスク、ＣＤ−ＲＯＭの他にも、ＤＶＤ、ＰＤ等の光学記録媒体、ＭＤ等の光磁気記録媒体、テープ媒体、磁気記録媒体、ＩＣカードやミニチュアーカードなどの半導体メモリー等を用いることができる。又、専用通信ネットワークやインターネットに接続されたサーバシステムに設けたハードディスクまたはＲＡＭ等の格納装置を記録媒体として使用してもよい。
【００４８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００４９】
【図１】本発明の実施形態に係る電熱供給システム１００の構成の一例を示す図である。（実施例１）
【図２】予測熱需要量の一例を示す図である。
【図３】電熱供給システム１００の構成の他の例を示す図である。（実施例２）
【図４】電熱供給システムを制御するコンピュータ３００の構成の一例を示す図である。（実施例３）
【符号の説明】
【００５０】
１０・・・負荷、２０・・・燃料電池、３０・・・貯湯漕、４０・・・蓄電部、５０・・・履歴格納部、６０・・・制御部、７０・・・電熱器、１００・・・電熱供給システム、３００・・・コンピュータ、７００・・・ＣＰＵ、７０２・・・ＲＯＭ、７０４・・・ＲＡＭ、７０６・・・通信インターフェース、７１０・・・ハードディスクドライブ、７１２・・・フレキシブルディスクドライブ、７１４・・・ＣＤ−ＲＯＭドライブ、７２０・・・フレキシブルディスク、７２２・・・ＣＤ−ＲＯＭ
【図１】
2005056639.tif 000003
【図２】
2005056639.tif 000004
【図３】
2005056639.tif 000005
【図４】
2005056639.tif 000006